(57)【特許請求の範囲】
【請求項１】
車体側チューブと車輪側チューブとで伸縮可能とされるフォーク本体を有し、このフォーク本体内にこのフォーク本体内をリザーバにするダンパを有し、このダンパが車輪側チューブの軸芯部に起立されるシリンダ体と、車体側チューブの軸芯部に垂設されて先端側をシリンダ体内に挿通させるロッド体とを有し、フォーク本体が最伸長状態時にリザーバにあって作動流体と液面を境にする気室に大気圧以上となる気圧を封入されることで伸長方向の反力を具有し、フォーク本体が最伸長状態になるときに最収縮状態にされてフォーク本体を収縮方向に附勢する抑制手段を有し、この抑制手段が最伸長状態から収縮するフォーク本体における所定のストローク領域で上記の伸長方向の反力を抑制してなるフロントフォークにおいて、上記車体側チューブ側に連結されて上記シリンダ体の外周に配設される有底筒状のケース体と、上記ケース体の下端に形成したバネ受部と、上記シリンダ体のヘッド端部を構成するロッドガイドに形成したフランジ部とを設け、
上記抑制手段が上記シリンダ体の外周に巻装されると共に上記バネ受部と上記フランジ部とに当接することで収縮するコイルスプリングからなるバランスバネで構成され、さらに、上記バランスバネが最伸長状態にあるときに上端あるいは下端の遊動を阻止する保持手段を設けたことを特徴とするフロントフォーク。
【請求項２】
上記のダンパが最伸長状態から最収縮状態になるまでの全ストロークにおける前側のほぼ１／３以上のストロークを収縮するときに、上記のバランスバネが上記のフォーク本体における伸長方向の反力を抑制するバネ力を具有してなる請求項１に記載のフロントフォーク。
【請求項３】
上記ケース体がシリンダ体の外側に配設される筒部を有し、上記保持手段が上記筒部の内周に形成した環状溝を有し、この環状溝に上記バランスバネが最伸長状態で収装されて上端が上記環状溝の上端部に係止されると共に下端が上記バネ受部に担持される請求項１または請求項２に記載のフロントフォーク。
【請求項４】
上記保持手段が上記フランジ部と、上記シリンダ体の外周に嵌装されるストップリングとを有し、上記バランスバネが最伸長状態にあるときに上端を上記フランジ部に係止させると共に下端を上記ストップリングに担持させる請求項１または請求項２に記載のフロントフォーク。
【発明の詳細な説明】
【技術分野】
【０００１】
この発明は、フロントフォークに関し、特に、二輪車の前輪側に架装されて下端部で懸架する前輪に入力される路面振動を吸収する緩衝器たるフロントフォークの改良に関する。
【背景技術】
【０００２】
二輪車の前輪側に架装されて下端部で懸架する前輪に入力される路面振動を吸収する緩衝器たるフロントフォークとしては、従来から種々の提案があるが、たとえば、特許文献１に開示されるフロントフォークにあっては、凡そこの種のフロントフォークがそうであるように、車体側チューブと車輪側チューブとで伸縮可能とされるフォーク本体内にこのフォーク本体を伸長方向に附勢するコイルスプリングからなる懸架バネを有する。
【０００３】
それゆえ、この特許文献１に開示のフロントフォークにあっては、懸架バネを有する分、重量の好ましい軽減効果を得られない不具合があることを鑑みて、この出願の出願人は、先に、図６に示すフロントフォークの提案をした。
【０００４】
すなわち、この図６に示すフロントフォークは、車体側チューブ１と車輪側チューブ２とで伸縮可能とされる倒立型に設定のフォーク本体内に同じく倒立型に設定のダンパを有する。
【０００５】
このとき、ダンパは、車体側チューブ１の軸芯部に垂設されるシリンダ体３と、このシリンダ体３内に図中で上端側となる先端側を出没可能に挿通させながら車輪側チューブ２の軸芯部に起立されるロッド体４とを有する。
【０００６】
そして、このフロントフォークにあっては、図示するフォーク本体の最伸長状態時に、フォーク本体内たるリザーバＲにおける気室Ａに、すなわち、リザーバＲにおいて作動流体と液面Ｏを境にして画成される気室Ａに大気圧以上の気圧を封入させて、フォーク本体を伸長方向に附勢する反力を具有する。
【０００７】
それゆえ、このフロントフォークにあっては、フォーク本体が最伸長状態にあるときにも伸長方向の反力を具有して、懸架バネを有せずして伸長方向に附勢され、したがって、懸架バネを有しない分、フロントフォークにおける重量の軽減化を可能にする。
【０００８】
のみならず、このフロントフォークにあっては、ダンパが最伸長状態にあるときにもシリンダ体３内を加圧傾向にして、シリンダ体３内における負圧化に伴う作動流体中への気泡の発生を効果的に阻止する。
【０００９】
したがって、最伸長状態にあるダンパが収縮作動を開始する当初から、たとえば、シリンダ体３内に配設の圧側減衰手段において、作動流体中にある気泡が潰れるまでの間、減衰作用が具現化されない「減衰作用のサボり現象」を発現させずして、所定の圧側減衰作用を具現化し得る。
【００１０】
一方、図示するフロントフォークにあっては、フォーク本体が最伸長状態から収縮作動する所定のストローク領域内における伸長方向の反力を抑制する抑制手段を有してなる。
【００１１】
すなわち、図示するフロントフォークにあっては、フォーク本体が最伸長状態にあるときに、気室Ａに大気圧以上の気圧を封入するから、最伸長状態にあるときにも伸長方向の反力を具有し、したがって、このフロントフォークを前輪側に架装する二輪車に搭乗するライダーにあって、フロントフォークが最伸長状態から収縮作動を開始する当初から硬いと言う印象を抱く可能性がある。
【００１２】
そこで、図示するフロントフォークにあっては、最伸長状態にあるときに、下方配置となるシリンダ体３におけるヘッド端部３ａと、上方配置となるインナーチューブ２における開口端部２ａとの間に挟持されて収縮する上記の抑制手段を構成するコイルスプリングからなるバランスバネＳを有する。
【００１３】
それゆえ、このフロントフォークにあっては、フォーク本体の最伸長状態時に抑制手段を構成するバランスバネＳが最収縮状態時にあって伸長力、すなわち、フォーク本体を収縮させる反力を具有し、その分、フォーク本体が最伸長状態から収縮作動を開始する当初から所定のストロークに至るまでの間、ライダーに硬いと言う印象を抱かせないことが可能になる。
【先行技術文献】
【特許文献】
【００１４】
【特許文献１】特開平６‐１０９０５４号公報（明細書中の段落００２１から同００２３，図１参照）
【発明の概要】
【発明が解決しようとする課題】
【００１５】
しかしながら、上記した図６に開示の提案にあっては、最伸長状態時に大気圧以上となる気圧を封入するフロントフォークが抑制手段を有することで、このフロントフォークを前輪側に架装する二輪車にあって、最伸長状態から収縮作動を開始する当初から所定のストロークに至るまでの間、ライダーに硬いと言う印象を抱かせない点で基本的に問題がある訳ではないが、その実施化にあって、些かの不具合があると指摘される可能性がある。
【００１６】
すなわち、前記した特許文献１に開示のフロントフォークを含めてだが、上記した図６に示すフロントフォークにあっては、ダンパがシリンダ体３を上方部材にする倒立型に設定されるから、ダンパがシリンダ体３を下方部材にする正立型に設定される場合に比較して、ダンパの作動性を保障するためのシリンダ体３における液密性の確保が容易でない。
【００１７】
そして、液密性の確保には、図示しないが、摺動部に配設されるシール部材における液密性によるところが大きいが、だからと言って、摺動部におけるシール性を向上させる程にダンパにおける摺動性が低下され易くなることは周知の通りである。
【００１８】
そこで、この発明は、上記した事情を鑑みて創案されたものであって、その目的とするところは、最伸長状態時に大気圧以上となる気圧を封入しながら抑制手段を有するフロントフォークにあって、ダンパを正立型に設定して摺動性を向上させると共に、抑制手段の作動を保障できる提案をし、その汎用性の向上を期待できるフロントフォークを提供することである。
【課題を解決するための手段】
【００１９】
上記した目的を達成するために、本明の課題解決手段は、車体側チューブと車輪側チューブとで伸縮可能とされるフォーク本体を有し、このフォーク本体内にこのフォーク本体内をリザーバにするダンパを有し、このダンパが車輪側チューブの軸芯部に起立されるシリンダ体と、車体側チューブの軸芯部に垂設されて先端側をシリンダ体内に挿通させるロッド体とを有し、フォーク本体が最伸長状態時にリザーバにあって作動流体と液面を境にする気室に大気圧以上となる気圧を封入されることで伸長方向の反力を具有し、フォーク本体が最伸長状態になるときに最収縮状態にされてフォーク本体を収縮方向に附勢する抑制手段を有し、この抑制手段が最伸長状態から収縮するフォーク本体における所定のストローク領域で上記の伸長方向の反力を抑制してなるフロントフォークにおいて、上記車体側チューブ側に連結されて上記シリンダ体の外周に配設される有底筒状のケース体と、上記ケース体の下端に形成したバネ受部と、上記シリンダ体のヘッド端部を構成するロッドガイドに形成したフランジ部とを設け、
上記抑制手段が上記シリンダ体の外周に巻装されると共に上記バネ受部と上記フランジ部とに当接することで収縮するコイルスプリングからなるバランスバネで構成され、さらに、上記バランスバネが最伸長状態にあるときに上端あるいは下端の遊動を阻止する保持手段を設けたことを特徴とする。
【発明の効果】
【００２０】
それゆえ、この発明にあっては、フォーク本体内に収装されるダンパが正立型に設定されるから、ダンパが倒立型に設定される場合に比較して、液密性の確保が絶対条件とされず、ダンパの摺動性の保障が容易になる。
【００２１】
そして、この発明にあっては、フォーク本体が最伸長状態にあるときに大気圧以上となる気圧を封入して伸長方向の反力を具有させる一方で、フォーク本体が最伸長状態から収縮する所定のストローク領域における伸長方向の反力を抑制する抑制手段を有するから、最伸長状態から所定のストローク領域の収縮作動時における伸長方向の反力を小さくすることが可能になる。
従って、フロントフォークを前輪側に架装する二輪車に搭乗するライダーにあっては、最伸長状態にあるフロントフォークが硬いと言う印象を抱かないことになる。
【００２２】
このとき、この発明にあっては、抑制手段を構成するバランスバネがシリンダ体の外周に巻装されるから、最収縮状態になるときにバックリング現象の発現を阻止できる。
また、保持手段は、バランスバネが最伸長状態にあるときに、バランスバネの上端がフランジ部から離脱して、あるいは、下端がバネ受部から離脱して、いわゆる自由端となるのを阻止する。
すなわち、バランスバネが最伸長状態時に保持手段に保持されて上端あるいは下端の遊動が阻止されるから、バランスバネが最伸長状態にあるときにシリンダ体の外周で遊動せずして、遊動に起因する騒音発生を回避できる。
【００２３】
ちなみに、この発明にあっても、フォーク本体が最伸長状態にあるときに大気圧以上の気圧を封入して伸長方向の反力を具有させるから、懸架バネを有せずしてフォーク本体を伸長方向に附勢でき、その限りにおいて、懸架バネを有しない分、重量の軽減と部品点数の削減を可能にする。
【００２４】
そして、この発明にあっても、フォーク本体が最伸長状態にあるときに大気圧以上の気圧を封入して伸長方向の反力を具有させるから、フォーク本体内を昇圧傾向に維持でき、最伸長状態にあるフォーク本体が収縮作動を開始するとき、開始当初から安定した収縮作動を可能にする。
【図面の簡単な説明】
【００２５】
【図１】この発明によるフロントフォークを原理的に示す図である。
【図２】この発明の一実施形態による最伸長状態のフロントフォークを一部破断して示す半截縦断面図である。
【図３】図２のフロントフォークの最収縮状態を図２と同様に示す図である。
【図４】抑制手段の上端部が保持手段によって保持された状態を拡大して示す部分半截縦断面図である。
【図５】他の実施形態による抑制手段の上端部の保持状態を図４と同様に示す図である。
【図６】従来例としてのフロントフォークを図１と同様に示す図である。
【発明を実施するための形態】
【００２６】
以下に、図示した実施形態に基づいて、この発明を説明するが、この発明によるフロントフォークは、二輪車（図示せず）の前輪側に架装されて走行中の二輪車の前輪（図示せず）に入力される路面振動を吸収する油圧緩衝器として機能する。
【００２７】
ちなみに、この発明のフロントフォークは、二輪車の前輪側に架装されると言うが、二輪車と言うのは、言葉上の問題であって、三輪車の前輪側に架装されても良く、また、バギー車などの四輪車両における前輪側に架装されても良いことはもちろんである。
【００２８】
そして、このフロントフォークは、上端側が二輪車における車体側たるハンドル（図示せず）側に結合されながら下端部で前輪を懸架するフォーク本体（符示せず）と、このフォーク本体内に収装されてこのフォーク本体の伸縮時に同期して伸縮し所定の減衰作用をするダンパ（符示せず）とを有してなる。
【００２９】
ちなみに、フロントフォークを二輪車の前輪側に架装するについては、図示しないが、左右となる二本のフロントフォークの上端側部をあらかじめブリッジ機構で一体化し、各フロントフォークの下端部を前輪の車軸に連結させて前輪を挟むようにして懸架する。
【００３０】
そして、ブリッジ機構は、図示しないが、フロントフォークを構成する車体側チューブにおける上端部の上方側部に連結されるアッパーブラケットと、下方側部に連結されるアンダーブラケットとを有し、それぞれが両端部に形成の取り付け孔に車体側チューブにおける上端部を挿通させて一体的に把持する。
【００３１】
また、このブリッジ機構は、同じく図示しないが、アッパーブラケットとアンダーブラケットとを一体的に連結する一本のステアリングシャフトを両者の中央に有し、このステアリングシャフトが二輪車における車体の先端部を構成するヘッドパイプ内に回動可能に導通され、これによって、ハンドル操作による二本のフロントフォークを介しての前輪における左右方向への転舵が可能になる。
【００３２】
図１は、この発明によるフロントフォークを原理的に示すが、この図１にあって、フォーク本体は、大径のアウターチューブからなり上端側がハンドル側に結合される車体側チューブ１と、この車体側チューブ１の下端側に上端側が出没可能に挿通されながら下端部で前輪を懸架する小径のインナーチューブからなる車輪側チューブ２とでテレスコピック型に形成されて伸縮可能とされる。
【００３３】
ちなみに、図示するところでは、フォーク本体が大径のアウターチューブを車体側チューブ１にする倒立型に設定されるが、この発明の具現化の観点からすれば、フォーク本体が大径のアウターチューブを車輪側チューブ２にする正立型に設定されても良い。
【００３４】
そして、このフォーク本体は、軸芯部に筒型に形成されて正立型に設定のダンパを有するが、このダンパの外となる内側をリザーバＲにし、このリザーバＲは、作動流体たる作動油を収容すると共に、作動油の液面たる油面Ｏを境にする気室Ａを有する。
【００３５】
また、この発明にあって、フォーク本体内の気室Ａには、フォーク本体が最伸長状態にあるときに、大気圧以上となる気圧を封入するが、このことについては、後に詳しく説明する。
【００３６】
ダンパは、シリンダ体３と、このシリンダ体３内に図中で下端側となる先端側が出没可能に挿通されるロッド体４とを有し、図示するところでは、シリンダ体３を下端側部材にすると共にロッド体４を上端側部材にする正立型に設定され、シリンダ体３が車輪側チューブ２の軸芯部に起立されると共にロッド体４が車体側チューブ１の軸芯部に垂設されてなる。
【００３７】
なお、図示するところでは、フォーク本体がいわゆる中立状態にあるときのリザーバＲにおける油面Ｏの高さ位置を示すが、フォーク本体が最伸長状態になって油面Ｏが最下降する場合であっても、ダンパにおけるシリンダ体３の上端部たるヘッド端部３ａが作動油中にあって、シリンダ体３内への作動油の充満が容易になるように設定されるのが好ましい。
【００３８】
一方、このダンパは、ロッド体４の先端に連結されながらシリンダ体３内に摺動可能に収装されるピストン体５を有し、このピストン体５は、シリンダ体３内にピストン体５の上方となるロッド側室Ｒ１とピストン体５の下方となるピストン側室Ｒ２とを画成すると共にロッド側室Ｒ１のピストン側室Ｒ２への連通を許容する伸側減衰手段を有し、この伸側減衰手段は、伸側減衰バルブ５ａとこれに並列する伸側チェック弁５ｂとを有し、伸側減衰バルブ５ａを作動油が通過するときに所定の伸側減衰作用を具現化させる。
【００３９】
なお、伸側減衰手段にあって、伸側チェック弁５ｂについては、所定のチェック弁機能を果たす限りにおいて、任意の構成とされて良く、たとえば、吸い込みバルブとされても良く、また、圧側減衰バルブとされても良い。
【００４０】
また、このダンパにあっては、シリンダ体３の言わばボトム端部３ｂに設けられるベースバルブ部６に圧側減衰手段を有し、この圧側減衰手段は、圧側減衰バルブ６ａとこれに並列する圧側チェック弁６ｂとを有し、ピストン側室Ｒ２の作動油が圧側減衰バルブ６ａを通過してシリンダ体３の外となるリザーバＲに流出するときに所定の圧側減衰作用を具現化する。
【００４１】
それゆえ、以上のように形成されたダンパにあっては、シリンダ体３内にロッド体４が没入する収縮作動時に、ピストン側室Ｒ２の作動油が伸側チェック弁５ｂを通過してロッド側室Ｒ１に流入する。
【００４２】
そして、このとき、ピストン側室Ｒ２において余剰となるロッド侵入体積分に相当する量の作動油が圧側減衰手段６における圧側減衰バルブ６ａを通過してリザーバＲに流出し、圧側減衰バルブ６ａを作動油が通過することで所定の圧側減衰作用が具現化される。
【００４３】
一方、このダンパにあっては、上記と逆に、シリンダ体３内からロッド体４が突出する伸長作動時に、ロッド側室Ｒ１の作動油が伸側減衰バルブ５ａを通過してピストン側室Ｒ２に流出し、伸側減衰バルブ５ａを作動油が通過することで所定の伸側減衰作用が具現化される。
【００４４】
そして、このとき、ピストン側室Ｒ２において不足するロッド退出体積分に相当する量の作動油が圧側減衰手段６における圧側チェック弁６ｂを通過してリザーバＲから補充される。
【００４５】
ちなみに、前記したように、この発明にあっては、ダンパが正立型に設定されて、シリンダ体３が常に油面Ｏの下方にあるように位置決められるから、シリンダ体３内への作動油の充満に完全を期すことが可能になり、伸側減衰手段および圧側減衰手段による各側の減衰作用の具現化が設定通りに可能になる。
【００４６】
ダンパが以上のように形成されるこの発明のフロントフォークにあっては、上記したように、最伸長状態にあるフォーク本体内に、すなわち、リザーバＲに油面Ｏを境にして画成される気室Ａに大気圧以上となる気圧が封入され、また、この大気圧以上となる気圧の封入に伴う言わば弊害を除去するために抑制手段（符示せず）をフォーク本体内に有してなる。
【００４７】
少し説明すると、この発明によるフロントフォークにあっては、最伸長状態にあるフォーク本体内に油面Ｏを境にして画成される気室Ａに大気圧以上となる気圧を封入して伸長方向の反力を具有させる。
【００４８】
すなわち、出願人が確認したところでは、車輪側チューブ２の外径がほぼ４８ｍｍで収縮ストロークがほぼ３００ｍｍとなるフォーク本体が最伸長状態にあるときに、気室Ａに大気圧以上となるほぼ０．３ＭＰａの気体を封入すると、このフォーク本体の最収縮状態時の内圧がほぼ１．５ＭＰａとなる。
【００４９】
このことから、このフロントフォークにあっては、フォーク本体が最伸長状態にあるときに、フォーク本体内に大気圧以上となる気圧を封入することで、フォーク本体内を高圧傾向に維持でき、したがって、フォーク本体が収縮作動を開始するとき、すなわち、収縮作動の開始当初から安定した収縮作動を可能にする。
【００５０】
そして、このフロントフォークにあっては、フォーク本体内に大気圧以上の気圧を封入して伸長方向の反力を具有させるから、フォーク本体が常時伸長方向に附勢され、懸架バネを有せずしてフォーク本体を伸長方向に附勢し得ることになり、その限りにおいて、懸架バネを有しない分、懸架バネの配在のための容積を削減でき、また、重量の軽減と部品点数の削減を可能にする。
【００５１】
以上のように、この発明によるフロントフォークにあっては、最伸長状態にあるフォーク本体内に大気圧以上となる気圧を封入して伸長方向の反力を具有させ、これによって、懸架バネを有せずしてフォーク本体を伸長方向に附勢する。
【００５２】
それに対して、文献などを示さないが、これまでにも懸架バネを有せずして封入した気圧で、すなわち、エアバネのみでフォーク本体を伸長方向に附勢するフロントフォークの提案がある。
【００５３】
また、フロントフォークの組立の際には、フォーク本体内に封入される気圧が大気圧以上でないと、フロントフォークの組立が不可能に近いほど困難になることも周知されている。
【００５４】
ことからすると、この発明において、フォーク本体内に大気圧以上となる、たとえば、ほぼ０．３ＭＰａ以上となる気圧を封入することについては、何等特異性を有しないとされる余地がある。
【００５５】
しかしながら、この発明にあっては、フォーク本体内に大気圧以上の気圧を封入して伸長方向の反力を具有させることによる言わば弊害の除去として抑制手段を有する、すなわち、このフォーク本体が最伸長状態から収縮する所定のストローク領域内における伸長方向の反力を抑制する抑制手段を有することで特異性がある。
【００５６】
すなわち、この発明のフロントフォークにあっては、最伸長状態にあるフォーク本体が封入される気圧に起因する伸長方向の反力を具有するから、最伸長状態から収縮作動を開始するときには、この封入された気圧に起因する伸長方向の反力を有しない場合に比較して、たとえば、このフロントフォークを前輪側に架装する二輪車に搭乗するライダーにあっては、フロントフォークが硬いと言う印象を抱くことがあるが、この最伸長状態時に封入された気圧に起因する伸長方向の反力を抑制することで、二輪車に搭乗するライダーにあって、フロントフォークが硬いと言う印象を抱かなくなる。
【００５７】
そして、上記の所定のストローク領域は、最伸長状態から開始される収縮ストロークの領域で、好ましくは、最伸長状態から最収縮状態になるまでの全ストロークの前側のほぼ１／３のストローク領域であるが、これは絶対的なものでなく、多少の差があっても、この発明における抑制手段の意図するところが異なるものではない。
【００５８】
そしてまた、この抑制手段は、図示するところでは、コイルスプリングからなるバランスバネＳを有し、このバランスバネＳは、シリンダ体３の外に配設されて、収縮状態になるときに伸長力を具有し、シリンダ体３内にロッド体４を没入させる方向に、すなわち、フォーク本体を収縮方向に附勢する。
【００５９】
このフォーク本体を収縮方向に附勢する意味からすると、このバランスバネＳは、凡そこの種のダンパに収装される伸び切りバネ５３（図２，図３参照）と同様のバネ、すなわち、次なる伸び切りバネとも称される余地がある。
【００６０】
しかし、このバランスバネＳは、最伸長状態にあるフォーク本体における伸長方向の言わば初期反力を相殺する観点からすると、ダンパにおける最伸長作動時における作用力を吸収する伸び切りバネ５３とは、異なった働きをする。
【００６１】
ところで、このバランスバネＳは、図示するところでは、ダンパにおけるシリンダ体３の外に配設される、すなわち、シリンダ体３の外周に巻装されて、ダンパが図示する中立状態にあるときに、最伸長状態になって、下端がロッド体４に連結の有頭筒状に形成のケース体７における筒部７１の下端部に形成したバネ受部７１ｃに担持され、上端がシリンダ体３のヘッド端部３ａに連結のストッパ部８の下端に対向する。
【００６２】
そして、このバランスバネＳにあっては、図示しないが、ダンパが最伸長状態になるときに、上端が上記のストッパ部８に係止された状態のまま上記の筒部７１における下端部が上昇することで最収縮状態になり、自身が伸長しようとする力、すなわち、ダンパを収縮しようとする反力を具有する。
【００６３】
そして、このバランスバネＳは、収縮時にその伸長力によって、ダンパ、すなわち、フォーク本体を収縮方向に附勢するもので、フォーク本体が伸長作動して最伸長状態になる手前から始まる上記のストローク領域にあって、このバランスバネＳが収縮し、伸長するフォーク本体における動きを抑制する傾向になり、特に、最伸長状態にあるフォーク本体における伸長方向の反力を言わば零にする。
【００６４】
その結果、このフロントフォークを前輪側に架装する二輪車に搭乗するライダーに対して、最伸長状態から収縮作動を開始するフロントフォークが硬いと言う印象を抱かせないことが可能になる。
【００６５】
そして、上記のバランスバネＳにあっては、これがシリンダ体３の外周に巻装されるから、最収縮状態になるときのバックリング現象の発現があらかじめ阻止される。
【００６６】
そして、この実施形態による場合には、バランスバネＳがシリンダ体３の外に配設されて、シリンダ体３の内側に配設されないから、バランスバネＳの配設が容易になり、また、シリンダ体３の内周を傷付けない点で有利となる。
【００６７】
また、この実施形態による場合には、バランスバネＳを配設するについて、フォーク本体を構成する車体側チューブ１および車輪側チューブ２に対するいわゆる部品加工が不要になり、既存のフロントフォークに具現化できる点で有利となる。
【００６８】
なお、上記したケース体７についてであるが、要は、頭部７２がロッド体４に一体的に連結されていれば良く、また、頭部７２の形成で筒部７１の内側が上方に開放されないので、筒部７１に縦方向に複数となる連通孔７１ａ（図２，図３参照）を設け、あるいは、頭部７２に絞り７２ａを設けるなどして、筒部７１の内側をリザーバＲに連通させ、油面Ｏの位置を安定させるのが良い。
【００６９】
そして、上記したケース体７にあっては、相対的に見て、筒部７１の内側でシリンダ体３のヘッド端部３ａに連結のストッパ部８が昇降するので、特に、このストッパ部８が上昇するときに、このストッパ部８の外周と筒部７１の内周との間に出現する環状隙間を作動油が通過することによる減衰作用が具現化されるとしても良い。
【００７０】
また、上記したケース体７は、図示するところでは、ロッド体４に連結されるが、要は、ロッド体４、つまり、車体側チューブ１と同期して昇降すれば足りる観点からすれば、図示しないが、たとえば、車体側チューブ１の上端開口を閉塞するキャップ部材１４（図２，図３参照）に連結されるとしても良い。
【００７１】
図２乃至図５は、この発明によるフロントフォークの具体的な実施形態について示すもので、以下には、これについて説明するが、このフロントフォークにあっても、符示しないが、フォーク本体を有し、このフォーク本体内に作動流体たる作動油を収容すると共にダンパを収装し、さらに、フォーク本体内に大気圧以上の気圧を封入し、抑制手段を有する。
【００７２】
ちなみに、以下に説明するについて、図２乃至図５において、その構成が前記した図１に示すところと同様となるところについては、図中に同一の符号を付するのみとして、要する場合を除き、その詳しい説明を省略する。
【００７３】
先ず、図２および図３に示すように、このフロントフォークにあって、フォーク本体は、車体側チューブ１内に対して車輪側チューブ２が出没可能とされるテレスコピック型に形成されて伸縮可能とされる。
【００７４】
このとき、フォーク本体にあって、車体側チューブ１と車輪側チューブ２との間に上下となって離間配置とされる上方の軸受２１と下方の軸受１１とを有し、この離間配置される上下の軸受２１，１１が車体側チューブ１と車輪側チューブ２との間における同芯となる摺動性を保障する。
【００７５】
また、このフォーク本体にあっては、離間配置される上方の軸受２１と下方の軸受１１とで車体側チューブ１と車輪側チューブ２との間に潤滑隙間（符示せず）を出現させ、この潤滑隙間に車輪側チューブ２に開穿の連通孔２ａ（図３参照）を通過させて車輪側チューブ２の内方の作動油を流入させ、この作動油を潤滑油にして車体側チューブ１と車輪側チューブ２との間における潤滑を保障する。
【００７６】
さらに、このフォーク本体にあっては、車体側チューブ１の下端部となる開口端部の内周に下方の軸受１１に直列してオイルシール１２とダストシール１３とを有し、オイルシール１２の配設でフォーク本体内を密封空間にし、ダストシール１３の配設で車輪側チューブ２の外周に付着する微小な砂粒などのダストを掻き落し、このダストがオイルシール１２側に侵入することを阻止して、オイルシール１２におけるシール機能を保障する。
【００７７】
また、このフォーク本体にあって、車体側チューブ１の上端開口は、キャップ部材１４の螺着で閉塞され、このキャップ部材１４は、エアバルブＶを有し、このエアバルブＶは、フォーク本体内への気圧の封入および封入された気圧の変更調整を可能にする。
【００７８】
そして、このフォーク本体にあっては、車体側チューブ１内に車輪側チューブ２が大きいストロークで没入する最収縮作動時に、それ以上の収縮を阻止するべく、図３に示すように、車輪側チューブ２の上端が上記のキャップ部材１４の下端側に当接される。
【００７９】
なお、フォーク本体は、図示しないが、オイルロック機構を有し、このオイルロック機構によって最収縮作動時にクッション効果を発揮してフォーク本体の収縮速度を遅速化させると共に、オイルロック効果を発揮してフォーク本体の最収縮作動時における衝撃を緩和しても良い。
【００８０】
さらに、フォーク本体についてであるが、図示するところでは、大径のアウターチューブが車体側チューブ１にされると共に細径のインナーチューブが輪側チューブ２とされる倒立型に設定されるが、この発明が意図するところからすると、これに代えて、図示しないが、大径のアウターチューブが車輪側チューブ２とされると共に、細径のインナーチューブが車体側チューブ１とされる正立型に設定されても良い。
【００８１】
ただ、後述するダンパは、この発明にあって、倒立型に設定されるのを旨とするので、フォーク本体が正立型に設定されても、ダンパが正立型から倒立型に変更されない。
【００８２】
一方、このフォーク本体は、リザーバＲとされる内方に作動油を収容すると共にダンパを有し、このダンパは、下端部が車輪側チューブ２のボトム部材２２に結合されながら車輪側チューブ２の軸芯部に起立されて下端側部材とされるシリンダ体３と、このシリンダ体３内に下端側が出没可能に挿通されて上端側部材とされるロッド体４とを有して正立型に設定される。
【００８３】
そして、ロッド体４は、上端部がロックナット４１の配設下に車体側チューブ１の上端開口を閉塞するキャップ部材１４に結合されて、車体側チューブ１の軸芯部に垂下される。
【００８４】
そして、このダンパにあっては、作動油を充満するシリンダ体３内にピストン体５が摺動可能に収装され、このピストン体５にはロッド体４の図中で下端部となる先端部が連結される。
【００８５】
そしてまた、ピストン体５は、シリンダ体３内にピストン体５の上方となるロッド側室Ｒ１とピストン体５の下方となるピストン側室Ｒ２とを画成すると共に、ロッド側室Ｒ１のピストン側室Ｒ２への連通を許容する伸側減衰手段を有する。
【００８６】
そして、この伸側減衰手段は、ロッド側室Ｒ１の作動油のピストン側室Ｒ２への通過を許容する伸側減衰バルブ５１と、この伸側減衰バルブ５１に並列してピストン側室Ｒ２からの作動油のロッド側室Ｒ１への流入を許容する伸側チェック弁５２とを有してなる。
【００８７】
一方、シリンダ体３は、図中で上端とる開口端をロッドガイド２３の螺着で閉塞すると共に、このロッドガイド２３の配設でシリンダ体３の上端部たるヘッド端部３ａ（図１参照）を形成している。
【００８８】
そして、このヘッド端部３ａを形成するロッドガイド２３の下端部と、このロッドガイド２３の軸芯部を貫通するロッド体４におけるピストン体５に近隣するシート部４ａとの間に伸び切りバネ５３が配設され、この伸び切りバネ５３は、図２に示すように、ダンパが最伸長状態になるときに、ロッドガイド２３の下端部とシート部４ａとの間に挟持されて最収縮され、ダンパにおける最伸長作動時の作用力を吸収する。
【００８９】
なお、シリンダ体３の下端部たるボトム端部（符示せず）の内側には、図示しないが、圧側減衰手段を有するベースバルブ部（図１中の符号６参照）が配設され、このベースバルブ部は、圧側減衰手段を構成する圧側減衰バルブ（図１中の符号６ａ参照）を有すると共に、この圧側減衰バルブに並列する圧側チェック弁（図１中の符号６ｂ参照）を有してなる。
【００９０】
ところで、この発明によるフロントフォークにあって、フォーク本体は、最伸長状態にあるときに、大気圧以上となる気圧を封入し、したがって、伸長方向の反力を具有し、懸架バネの配設なくして、伸長方向に附勢される。
【００９１】
すなわち、このフォーク本体にあっては、内側たるリザーバＲにおいて油面Ｏを境にする気室Ａは、基本的には、フォーク本体の伸縮作動時に膨縮して、その膨縮の際に所定のエアバネ力、すなわち、チューブ反力を発生するが、この発明にあっては、フォーク本体の最伸長作動時に、大気圧以上となる、たとえば、ほぼ０．３ＭＰａとなる気圧が封入される。
【００９２】
それゆえ、このフロントフォークにあっては、最伸長状態時にもダンパ内を昇圧傾向に維持することが可能になり、また、ダンパにおけるシリンダ体３内を昇圧化させる。
【００９３】
それゆえ、ダンパにあっては、ダンパが伸長作動するときにピストン側室Ｒ２において負圧化現象が発現されずして作動油中への気泡の発生が阻止され、したがって、ダンパが最伸長状態から反転して収縮作動を開始するときに、ピストン側室Ｒ２において作動油中の気泡が潰れるまでの間、所定の圧側減衰作用の発現を期待できなくなる「減衰作用のサボリ」現象の発現を阻止し得る。
【００９４】
一方、このフロントフォークにあっては、フォーク本体が最伸長状態にあるときに、大気圧以上となる気圧を封入するから、この気圧に起因するエアバネ力でフォーク本体を伸長方向に附勢することが可能になり、したがって、特許文献1に開示などの従前からのフロントフォークにあって当然のようにフォーク本体内に収装されている懸架バネの配設を省略できる。
【００９５】
ところで、この発明のフロントフォークにあって、フォーク本体が最伸長状態にあるときに、リザーバＲ内の気室Ａに大気圧以上となる気圧を封入するから、  前記したように、最伸長状態から収縮作動を開始するときには、この封入された気圧に起因する伸長方向の反力を有しない場合に比較して、たとえば、このフロントフォークを前輪側に架装する二輪車に搭乗するライダーにあっては、フロントフォークが硬いと言う印象を抱くことがある。
【００９６】
そこで、同じく前記したが、この発明にあっては、この最伸長状態時に封入された気圧に起因する伸長方向の反力を抑制手段によって抑制することで、二輪車に搭乗するライダーにあって、フロントフォークが硬いと言う印象を抱かせないようにする。
【００９７】
そして、抑制手段が抑制する領域は、最伸長状態から開始される収縮ストロークの領域で、好ましくは、最伸長状態から最収縮状態になるまでの全ストロークの前側のほぼ１／３のストローク領域となる所定のストローク領域であるが、これは絶対的なものでなく、多少の差があっても、この発明における抑制手段の意図するところが異なるものではない。
【００９８】
そしてまた、この抑制手段は、図示するところでは、コイルスプリングからなるバランスバネＳを有し、このバランスバネＳは、シリンダ体３の外に配設されて、収縮状態時に伸長力によってシリンダ体３内にロッド体４を没入させる方向に、すなわち、フォーク本体を収縮方向に附勢する。
【００９９】
一方、このバランスバネＳは、図示するところにあって、シリンダ体３の外周に巻装されて、下端がロッド体４に連結されたケース体７におけるバネ受部７１ｃに担持される。
【０１００】
そして、このバランスバネＳにあっては、図２に示すフォーク本体の最伸長作動時には、上端がシリンダ体３のヘッド端部３ａを形成するロッドガイド２３に径方向に向けて形成したフランジ部２３ａに係止されて最収縮状態になる。
【０１０１】
そしてまた、このバランスバネＳにあっては、図３に示すフォーク本体の最収縮作動時には、上端が上記のロッドガイド２３におけるフランジ部２３ａから離脱していわゆる自由端となる。
【０１０２】
なお、上記したケース体７にあって、頭部７２は、適宜の手段でロッド体４に一体的に連結されるが、このとき、頭部７２が筒部７１の内側のリザーバＲへの連通を阻止するとき、筒部７１の内側に作動油が溜まる弊害を除去するために、筒部７１に縦方向に複数となる連通孔７１ａを設け、あるいは、頭部７２に絞り７２ａを設けるなどして、筒部７１の内側をリザーバＲに連通させるのが良い。
【０１０３】
そして、この場合には、筒部７１内にあって、油面Ｏの位置が安定され、頭部７２に開穿された絞り７２ａを作動油が通過することで、また、図示しないが、上記のロッドガイド２３におけるフランジ部２３ａが筒部７１内を上昇するようになるとき、筒部７１の内周とフランジ部２３ａの外周との間に環状隙間が出現し、この環状隙間を作動油が通過することで、絞り効果による減衰作用の具現化が可能になる。
【０１０４】
以上のように、この発明における抑制手段たるバランスバネＳにあっては、これがシリンダ体３の外周に巻装されるから、これが最収縮するときのバックリング現象の発現が阻止されて、設定通りの伸縮が具現化される。
【０１０５】
そして、このバランスバネＳは、最収縮状態にあるときに伸長方向の反力で最伸長状態にあるフォーク本体を収縮方向に附勢して、最伸長状態にあるフォーク本体が具有する伸長方向の反力を言わば零にするから、このフロントフォークを前輪側に架装する二輪車に搭乗するライダーにあっては、最伸長状態にあるフロントフォークが硬いと言う印象を抱かないことになる。
【０１０６】
図４および図５は、たとえば、前記した図３に示すように、バランスバネＳが最伸長状態にあるときに、上端がロッドガイド２３におけるフランジ部２３ａから離脱して、あるいは、下端がケース体７の下端部たるバネ受部７１ｃから離脱して、いわゆる自由端となるのを阻止する保持手段を示す。
【０１０７】
以下には、これについて説明するが、この保持手段は、最伸長状態にあるバランスバネＳの上端あるいは下端における自由状態の発現を阻止して、バランスバネＳのシリンダ体３の外周におけるいわゆる遊動による騒音発生を効果的に阻止する。
【０１０８】
先ず、図４に示すところは、フォーク本体が最収状態にあるが、ケース体７は、筒部７１の内周に縦方向に幅広となり保持手段となる環状溝７１ｂを有し、この環状溝７１ｂにバランスバネＳを収装させる。
【０１０９】
このとき、バランスバネＳにあって、上端は、図４中の拡大図にも示すように環状溝７１ｂの上端部に係止され、下端は、たとえば、図３に示すように、筒部７１の内側に折り曲げられた下端部たるバネ受部７１ｃに担持され、このバランスバネＳにおける最伸長状態が保持されると共に、このバランスバネＳにおける上下端のいわゆる遊びが阻止される。
【０１１０】
一方、このケース体７における環状溝７１ｂに収装された状態のバランスバネＳにおける上端は、図中で上方にあるシリンダ体３における上端ヘッド部３ａを形成するロッドガイド２３におけるフランジ部２３ａに対向する。
【０１１１】
それゆえ、図示する最収縮状態にあるフォーク本体が伸長作動に反転すると、シリンダ体３内からロッド体４が抜け出ることになり、このロッド体４に連設されたケース体７がシリンダ体３に対して上昇する。
【０１１２】
したがって、上記のロッドガイド２３におけるフランジ部２３ａが相対的に見てケース体７１における筒部７１の内側で下降するようになり、その結果、ロッドガイド２３におけるフランジ部２３ａがバランスバネＳの上端に当接される。
【０１１３】
ちなみに、このとき、バランスバネＳの下端は、筒部７１の下端部たるバネ受部７１ｃに担持されている。
【０１１４】
そして、さらにフォーク本体の伸長作動が進展すると、バランスバネＳの上端が環状溝７１ｂの上端部から離脱し、したがって、バランスバネＳは、最収縮状態に向けて収縮し、伸長方向の反力を伸長するフォーク本体に作用する。
【０１１５】
次に、図５に示すところにあって、バランスバネＳは、最伸長状態になるときに、上端が上記したシリンダ体３における上端ヘッド部３ａを形成するロッドガイド２３におけるフランジ部２３ａに係止され、下端がシリンダ体３の外周に配設された、すなわち、シリンダ体３の外周に形成の環状溝３ｃに嵌装されたストップリング９に担持されて、このバランスバネＳにおける更なる伸長が阻止されると共に、このバランスバネＳにおける上下端のいわゆる遊びが阻止される。
【０１１６】
それゆえ、この実施形態にあっては、ロッドガイド２３におけるフランジ部２３ａとストップリング９とが保持手段を構成する。
【０１１７】
一方、このストップリング９に担持されるバランスバネＳにおける下端は、図示しないが、ケース体７の筒部７１における下端部たるバネ受部７１ｃに対向する。
【０１１８】
それゆえ、図示する最収縮状態にあるフォーク本体が伸長作動に反転すると、シリンダ体３内からロッド体４が抜け出ることになり、このロッド体４に連設されたケース体７がシリンダ体３に対して上昇する。
【０１１９】
したがって、ケース体７１における筒部７１が相対的に見てシリンダ体３の外側で上昇するようになり、その結果、ケース体７の筒部７１における下端部たるバネ受部７１ｃがバランスバネＳの下端に当接される。
【０１２０】
そして、さらにフォーク本体の伸長作動が進展すると、バランスバネＳの下端がシリンダ体３の外周に配設のストップリング９から離脱して、最収縮状態に向けて収縮し、伸長方向の反力を伸長するフォーク本体に作用する。
【０１２１】
以上のように、この発明にあっては、バランスバネＳがシリンダ体３の外周に巻装されるから、最収縮作動時におけるバックリングの発現が阻止されるだけでなく、保持手段で最伸長状態にあるバランスバネＳにおける端部の自由が拘束されるから、最伸長状態にあるバランスバネＳの上端あるいは下端における自由状態の発現が阻止されて、バランスバネＳのシリンダ体３の外周におけるいわゆる遊動による騒音発生が効果的に阻止される。
【０１２２】
前記したところでは、フォーク本体が懸架バネを有しないとしたが、この発明における抑制手段たるバランスバネＳが機能するところからすると、フォーク本体が懸架バネを有してなるとしても、この発明の具現化が可能になるのはもちろんであり、その場合の作用効果も異なるところはない。
【０１２３】
そして、前記したところでは、抑制手段を構成するバランスバネＳがダンパの外に配設されるとしたが、このバランスバネＳが機能するところを勘案すると、このバランスバネＳがシリンダ体３内に配設されるとしても良い。
【産業上の利用可能性】
【０１２４】
二輪車の前輪側に架装されて下端部で懸架する前輪に入力される路面振動を吸収する緩衝器としての利用に向く。
【符号の説明】
【０１２５】
１  車体側チューブ
２  車輪側チューブ
３  シリンダ体
４  ロッド体
５  ピストン体
６  ベースバルブ部
７  ケース体
８  ストッパ部
９  ストップリング
２３  ロッドガイド
２３ａ  フランジ部
７１  筒部
７１ｂ  環状溝
Ａ  気室
Ｏ  油面
Ｒ  リザーバ
Ｓ  バランスバネ
【図１】
0005406759.tif 000002
【図２】
0005406759.tif 000003
【図３】
0005406759.tif 000004
【図４】
0005406759.tif 000005
【図５】
0005406759.tif 000006
【図６】
0005406759.tif 000007